(57)【特許請求の範囲】
【請求項１】
細長で可撓性を有する線状体と、
前記線状体の少なくとも一方の端に設けられたフックと、を備え、
前記線状体の前記フック側の端部にスパイラル機能付きカバーが取り付けられることで、当該端部の剛性が高められ、
前記スパイラル機能付きカバーは、前記端部に取り付けられ軸方向に沿ったスパイラル状の凸部が形成されたチューブと、該チューブを覆い内面に前記凸部に螺合する凹部が形成されたカバーとを有し、前記カバーを回転させて該カバーが前記チューブに対して進退動することで、該スパイラル機能付きカバーの長さが伸縮自在となっている、
ことを特徴とするフック付き線状体。
【発明の詳細な説明】
【技術分野】
【０００１】
この発明は、安全帯に設けられ先端にフックを備える親綱などのフック付き線状体に関する。
【背景技術】
【０００２】
例えば、ガス遮断機（ＧＣＢ）の碍子（ブッシング）の点検や修理などを行う場合、作業者は、安全帯を使用して作業を行っている。すなわち、図５に示すように、安全帯は、腰ベルト１２０と親綱１２１とを備え、親綱１２１の先端・自由端には、金属製のフックが取り付けられている。そして、作業者Ｍの腰に腰ベルト１２０を装着し、親綱１２１を碍子１００にまわしてフックを腰ベルト１２０に掛けることで、作業の安全性を確保している。
【０００３】
このように支持体にロープを巻き付ける安全帯に関する技術として、移動の際の安全性を確保するために、腰ベルトにリングを取り付け、このリングにフック付きロープを連結させるとともに、ロープが折り畳み可能な高所作業用安全帯が知られている（例えば、特許文献１参照。）。
【先行技術文献】
【特許文献】
【０００４】
【特許文献１】特開２００９−０１７９４２号公報
【発明の概要】
【発明が解決しようとする課題】
【０００５】
ところで、１１０ｋＶ以上のガス遮断機では、図５に示すように、碍子１００が互いに外側を向いて設置され、さらに、碍子１００は、その下部の外径が大きく、上側に向かって外径が小さくなっている。また、碍子１００を清掃したり、測定試験器具を取り付けたりするために、碍子１００の頭頂部まで登る必要性が生じる場合がある。
【０００６】
しかしながら、碍子１００の下部の外径が７０ｃｍなどと大きいため、作業者が一人で親綱１２１を碍子１００にまわすことが困難であった。つまり、一方の手で親綱１２１の先端部を持ち、碍子１００にまわした状態で、他方の手で親綱１２１の先端部を持とうとしても、フックの重みで親綱１２１の先端部が垂れ下がってしまい、親綱１２１の先端部を握ることができない。このため、外径が小さい碍子１００の中央部まで登った後に、親綱１２１を碍子１００にまわしたり、一方の手でフックを他方の手に投げ渡したりしなければならず、安全性が損なわれたり碍子１００が損傷したりするおそれがあった。また、特許文献１の技術は、高所での移動の際にロープが絡まないようにコンパクト化することはできるが、外径が大きい碍子１００などにロープを容易に巻き付けることはできない。
【０００７】
そこで本発明は、外径が大きい碍子などの支持体に容易に巻き付けることが可能なフック付き線状体を提供することを目的とする。
【課題を解決するための手段】
【０００８】
上記目的を達成するために請求項１に記載の発明は、細長で可撓性を有する線状体と、前記線状体の少なくとも一方の端に設けられたフックと、を備え、前記線状体の前記フック側の端部にスパイラル機能付きカバーが取り付けられることで、当該端部の剛性が高められ、前記スパイラル機能付きカバーは、前記端部に取り付けられ軸方向に沿ったスパイラル状の凸部が形成されたチューブと、該チューブを覆い内面に前記凸部に螺合する凹部が形成されたカバーとを有し、前記カバーを回転させて該カバーが前記チューブに対して進退動することで、該スパイラル機能付きカバーの長さが伸縮自在となっている、ことを特徴とするフック付き線状体である。
【発明の効果】
【００１１】
請求項１に記載の発明によれば、線状体のフック側の端部が、剛性が高められているため、線状体のフック側端部を手で持った際に、線状体の端部が真っ直ぐな状態となる。このため、線状体のフック側端部を持って支持体にまわした際に、フック側の端部が垂れ下がらずに延びた状態となり、他方の手で端部を容易に把持することが可能となる。つまり、外径が大きい碍子などの支持体にも、線状体を容易に巻き付けることが可能となる。この結果、より高い安全性を確保したり、碍子の損傷を防止したりすることが可能となる。
【００１２】
また、伸縮自在なスパイラル機能付きカバーによって、線状体のフック側の端部の剛性が高められているため、支持体の大きさや作業環境などに応じてスパイラル機能付きカバーの長さを伸縮させることで、より容易に線状体を巻き付けることが可能となる。しかも、持ち運び時や未使用時などにはスパイラル機能付きカバーを縮めることで、取り扱い性や収容性が高まる。
【図面の簡単な説明】
【００１３】
【図１】本発明の実施の形態１に係るフック付きロープを備える安全帯を示す正面図である。
【図２】図１のフック付きロープのスパイラル機能付きカバーが縮んだ状態を示す正面図である。
【図３】図１のフック付きロープのスパイラル機能付きカバーが伸びた状態を示す正面図である。
【図４】本発明の実施の形態２に係るクレーンバンドを示す斜視図である。
【図５】ガス遮断機の碍子に安全帯を取り付けて作業を行う状態を示す正面図である。
【発明を実施するための形態】
【００１４】
次に、この発明の実施の形態について、図面を用いて詳しく説明する。
【００１５】
（実施の形態１）
図１ないし図４は、この実施の形態に係るフック付きロープ（フック付き線状体）１を備えた安全帯１０を示す。このフック付きロープ１は、支持体の周囲に巻き付けたりして作業者の身体を支持するものであり、図１に示すように、主として、ロープ（線状体）１１と、このロープ１１の一端部に設けられたフック１２と、ロープ１１の一端部側に設けられたスパイラル機能付きカバー１３とを備え、親綱として腰ベルト５０に取り付けて安全帯１０として使用するものである。
【００１６】
ロープ１１は、ナイロン等の合成樹脂繊維を編み込んで形成され、細長で可撓性を有し屈曲自在となっている。このロープ１１の長さは、点検や清掃などの作業の対象物や支持体の大きさ、作業環境などを考慮して設定され、例えば、３ｍ程度に設定されている。
【００１７】
フック１２は、ロープ１１の先端に取り付けられた基部１２ａと、略Ｕ字形でカギ状のフック部１２ｂとを有し、基部１２ａの回転軸１２ｃを軸にしてフック部１２ｂが回動自在となっている。また、外力が付加されない状態では、フック部１２ｂの自由端部が基部１２ａ側に押圧され、基部１２ａとフック部１２ｂとで環形状が形成されるようになっている。
【００１８】
スパイラル機能付きカバー１３は、ロープ１１のフック１２側の端部に取り付けられ、この端部の剛性を高めるものである。このスパイラル機能付きカバー１３は、図２および図３に示すように、ゴムチューブ１３１とこれを覆うカバー１３２とから構成されている。ゴムチューブ１３１は、熱収縮性を有し、ロープ１１のフック１２側の端部に装着され加熱されることで、当該端部に取り付けられている。また、作業対象や支持体の大きさなどを考慮して、所定の長さ、例えば２００ｍｍに設定され、さらに、ゴムチューブ１３１が取り付けられた端部とフック１２の自重によっては曲がらず（撓まず）、多少の外力が付加されても、真っ直ぐな姿勢を維持できるように、厚みと強度とが設定されている。また、ゴムチューブ１３１の表面には、軸方向に沿ったスパイラル状の凸部１３１ａが形成されている。
【００１９】
カバー１３２は、円筒状で、硬質の合成樹脂から構成され、ゴムチューブ１３１と同等の長さを有している。さらに、カバー１３２の内面には、軸方向に沿ったスパイラル状の凹部１３２ａが形成され、ゴムチューブ１３１の凸部１３１ａと螺合している。そして、カバー１３２を回転させることで、カバー１３２がゴムチューブ１３１に対して進退動・スライドし、これにより、スパイラル機能付きカバー１３が伸縮するようになっている。つまり、ロープ１１の剛性が高められる部分の長さが、変化するようになっている。また、図３に示すように、ゴムチューブ１３１とカバー１３２とが、少なくとも所定の長さＤだけ、例えば５０ｍｍだけ重なるように、凸部１３１ａと凹部１３２ａとの螺合関係・長さが設定されている。つまり、例えば１５０ｍｍ以上カバー１３２を引き出せないようになっている。
【００２０】
腰ベルト５０は、主ベルト５１と、補助ベルト５２と、バックル５３と、長さ調整器５４とから構成されている。
【００２１】
主ベルト５１は、ナイロン等の合成樹脂繊維製で、屈曲自在であり、その長さは、作業者の胴周りよりも十分長く設定されている。この主ベルト５１の中央には、主ベルト５１よりもやや幅広の補助ベルト５２が取り付けられている。この補助ベルト５２の内側にはクッション（図示せず）が取り付けられ、作業者の腰に直接接触するようになっている。さらに、主ベルト５１の一端には、バックル５３が設けられ、主ベルト５１を作業者の腰に巻きつけた状態で、このバックル５３に主ベルト５１の他端部を通して締め付けるようになっている。
【００２２】
また、主ベルト５１の側部には、長さ調整器５４が設けられ、この長さ調整器５４にフック付きロープ１が取り付けられている。すなわち、ロープ１１の自由端部（非フック１２側）が長さ調整器５４に挿入され、長さ調整器５４の調整レバー（図示せず）を押すと、ロープ１１が移動可能となり、調整レバーを離すと、ロープ１１の位置が固定されるようになっている。
【００２３】
次に、このような構成のフック付きロープ１を備えた安全帯１０の作用などについて説明する。ここで、図５に示すように、ガス遮断機の碍子１００を点検や修理などする場合について説明する。
【００２４】
まず、作業者Ｍは、腰に腰ベルト５０を装着する。次に、長さ調整器５４の調整レバーを押してロープ１１を引き出し、長さ調整器５４からフック１２までの長さを、碍子１００の外周長よりも長くする。また、碍子１００の外周長や作業者Ｍの手の長さなどに応じて、上記のようにしてスパイラル機能付きカバー１３の長さを調整する。つまり、後述するように、フック１２を手渡しでき、かつ取り扱いが容易なようにスパイラル機能付きカバー１３の長さを調整する。
【００２５】
続いて、一方の手でスパイラル機能付きカバー１３の自由端側（非フック１２側）を把持し、碍子１００の外周に沿って腕をまわし、他方の手でフック１２を受け取る。このとき、スパイラル機能付きカバー１３が真っ直ぐに延び、撓まないため、一方の手と他方の手とが届かない場合でも、フック１２を受け取ることができる。そして、フック１２を腰ベルト５０に掛け、ロープ１１が碍子１００の外周に密着するように、長さ調整器５４でロープ１１の長さを調整する。このようにしてロープ１１の長さを調整しながら、スパイラル機能付きカバー１３を昇降して、点検や修理などを行うものである。
【００２６】
以上のように、このフック付きロープ１によれば、ロープ１１のフック１２側が撓まずに真っ直ぐに延びるため、実質的に作業者Ｍの腕が伸びた状態となり、作業者Ｍの手と手とが直接届かない場合でも、フック１２を容易に手渡しすることができる。このため、外径が大きい碍子１００の下部の位置から、ロープ１１を巻き付けて安全帯１０をセットし、より高い安全性を確保することができる。また、フック１２を投げ渡す必要がなくなり、碍子１００の損傷などを防止することができる。
【００２７】
さらに、スパイラル機能付きカバー１３が伸縮自在なため、碍子１００の外径や作業環境などに応じてスパイラル機能付きカバー１３の長さを調整することで、より容易にロープ１１を巻き付けることが可能となる。しかも、持ち運び時や未使用時などにはスパイラル機能付きカバー１３を縮めることで、取り扱い性や収容性が高まる。また、既製・既存の安全帯のロープにスパイラル機能付きカバー１３を取り付けるだけで、容易かつ低コストで、フック付きロープ１および安全帯１０を構成することができる。
【００２８】
（実施の形態２）
図４は、この実施の形態に係るクレーンバンド（フック付き線状体）２０の使用状態を示す斜視図である。このクレーンバンド２０は、クレーンやホイストなどで重量物１１０を運ぶ際に、重量物１１０に巻き付けるようにして取り付けられるバンドであり、帯状体（線状体）２１とスパイラル機能付きカバー２２とから構成されている。
【００２９】
帯状体２１は、屈曲自在で断面が偏平しおり、両端部に、クレーンフック１１１を掛けるリング状のフック２１ａ、２１ｂが形成されている。つまり、通常広く使用されている既製のクレーンバンドと同等の構成となっている。
【００３０】
スパイラル機能付きカバー２２は、熱収縮性を有するゴムチューブから構成され、帯状体２１の第２のフック２１ｂ側に取り付けられている。すなわち、帯状体２１の端部に装着、加熱されることで、取り付けられている。また、このスパイラル機能付きカバー２２は、スパイラル機能付きカバー２２やフック２１ｂの自重によっては曲がらず、多少の外力が付加されても、真っ直ぐな姿勢を維持できるように、厚みと強度とが設定されている。さらに、スパイラル機能付きカバー２２の長さは、重量物１１０の大きさや作業環境などを考慮して設定されている。
【００３１】
このように、帯状体２１の第２のフック２１ｂ側にスパイラル機能付きカバー２２が取り付けられ、帯状体２１の第２のフック２１ｂ側の端部の剛性が高められている。このため、実施の形態１と同様に、帯状体２１の第２のフック２１ｂ側が撓まずに真っ直ぐに延び、重量物１１０が大きい場合でも、第２のフック２１ｂを容易に手渡して、クレーンバンド２０をセットすることができる。また、既製・既存のクレーンバンドにスパイラル機能付きカバー２２を取り付けるだけで、容易かつ低コストで、クレーンバンド２０を構成することができる。
【００３２】
以上、この発明の実施の形態を詳述してきたが、具体的な構成は上記の実施の形態に限られるものではなく、この発明の要旨を逸脱しない範囲の設計の変更等があっても、この発明に含まれる。例えば、上記の実施の形態では、スパイラル機能付きカバー１３、２２を取り付けることで剛性を高めているが、ロープ１１などの端部に固化剤・硬化剤を添加することで端部の剛性を高めてもよい。また、スパイラル機能付きカバー１３、２２を着脱自在とし、フック１２、２１ｂを手渡しする場合などにのみ、スパイラル機能付きカバー１３、２２を取り付けるようにしてもよい。これにより、スパイラル機能付きカバー１３、２２を共用化できるとともに、スパイラル機能付きカバー１３、２２が作業の邪魔になることなどを防止することができる。
【符号の説明】
【００３３】
１                      フック付きロープ（フック付き線状体）
１０                    安全帯
１１                    ロープ（線状体）
１２                    フック
１３                    スパイラル機能付きカバー
５０                    腰ベルト
５１                    主ベルト
５２                    補助ベルト
５３                    バックル
５４                    長さ調整器
２０                    クレーンバンド（フック付き線状体）
２１                    帯状体（線状体）
２１ａ、２１ｂ          フック
２２                    スパイラル機能付きカバー
１００                  碍子
１１０                  重量物
【図１】
0005661387.tif 000002
【図２】
0005661387.tif 000003
【図３】
0005661387.tif 000004
【図４】
0005661387.tif 000005
【図５】
0005661387.tif 000006